(57)【要約】  人工まつ毛用アプリケーターを開示する。本発明の実施例に係る人工まつ毛用アプリケーターは、複数のまつ毛の毛と、前記まつ毛の各毛の一端部の間を連結する繋ぎ部を含む人工まつ毛をまぶたに付着させるためのものであり、前記人工まつ毛の各毛を支持するように設けられた支持板；および前記人工まつ毛の各毛を前記繋ぎ部の長さ方向に沿って前記支持板に押して固定させるように設けられるものの、前記支持板を弾性変形させることによって前記人工まつ毛の各毛に対する固定が解除されるように設けられた固定ピン；を含むように構成することができる。
2017521212.tif 000002
【特許請求の範囲】
【請求項１】
複数のまつ毛の毛と、前記まつ毛の各毛の一端部の間を連結する繋ぎ部を含む人工まつ毛をまぶたに付着させるための人工まつ毛用アプリケーターにおいて、
前記人工まつ毛の各毛を支持するように設けられた支持板；および
前記人工まつ毛の各毛を前記繋ぎ部の長さ方向に沿って前記支持板に押して固定させるように設けられるものの、前記支持板を弾性変形させることによって前記人工まつ毛の各毛に対する固定が解除されるように設けられた固定ピン；を含む、人工まつ毛用アプリケーター。
【請求項２】
前記固定ピンの一端は、前記支持板の一端の一側に一体連結され、前記固定ピンの他端と前記支持板の一端の他側のうち、いずれか一方には係止部が設けられ、前記固定ピンの他端と前記支持板の一端の他側のうち、残りの他の一方には前記係止部が係止されて拘束されるように係止溝が設けられ、
前記係止部と係止溝との間の係止動作は、前記支持板を前記固定ピンが位置した方向に膨らむように弾性変形させた状態で解除されるように設けられる、請求項１に記載の人工まつ毛用アプリケーター。
【請求項３】
前記支持板は、少なくとも前記固定ピンが設けられた一端部が、外力が加えられていない状態で前記固定ピン側に膨らんで曲率を有するように設けられ、
前記固定ピンの一端と他端との間には、外力が加えられていない状態でまっすぐに平らに形成されて、前記係止部と係止溝との間が係止されて固定された状態で前記支持板に弾力的に密着する圧迫部が設けられる、請求項２に記載の人工まつ毛用アプリケーター。
【請求項４】
前記支持板は、前記固定ピンが設けられた一端から他端まで全体的に前記固定ピン側に膨らんで曲率を有するように設けられ、前記支持板は、前記固定ピンが設けられた一端よりも前記固定ピンの反対側他端の幅がさらに小さく設けられる、請求項３に記載の人工まつ毛用アプリケーター。
【請求項５】
前記支持板と固定ピンは、可撓性を有するようにポリプロピレン（ＰＰ）を通じて一体に設けられる、請求項１に記載の人工まつ毛用アプリケーター。
【請求項６】
前記支持板と固定ピンは、透明または半透明な材質を通じて設けられる、請求項１に記載の人工まつ毛用アプリケーター。
【発明の詳細な説明】
【技術分野】
【０００１】
本発明は人工まつ毛用アプリケーターに関する。
【背景技術】
【０００２】
一般的に人工まつ毛は、既存のまつ毛の上に付け加えられた状態で、まつ毛の毛がより豊かに見えるようにしたり、まつ毛がより一層長く延びた感じを持つように演出するために用いられる美容器具を示す。
【０００３】
人工まつ毛は、複数のまつ毛の毛と、まつ毛の各毛の一端部の間が繋がるように連結する繋ぎ部を備えて全体としてまつ毛の形態を有するようになる。
【０００４】
このような人工まつ毛は、繋ぎ部を接着剤によってまぶたに粘着させることで目縁に付着される。
【０００５】
従来、人工まつ毛を目縁に付けるときには、通常ピンセットのような器具や、指でまつ毛の毛の一方を摘んだ状態で粘着剤が塗られた繋ぎ部をまぶたに当てて密着させる方法が主に使用されてきた。
【０００６】
しかし、先端が尖っているピンセットを利用して人工まつ毛の一方だけを把持した状態では、ピンセットを介して摘まれた部分の両側の人工まつ毛が垂れてしまう問題点が発生して、繋ぎ部をまぶたに付着させるのに困難があった。
【０００７】
本出願人が出願して公開された大韓民国公開特許公報第１０−２０１４−０１１４７３９号は、このような従来の問題点を改善するための人工まつ毛用アプリケーターの構造を開示している。
【０００８】
前記公報に開示されたアプリケーターは、薄い板状で設けられて広げられた状態の人工まつ毛の毛側を全体的に支持するように設けられる。
【０００９】
したがって、このようなアプリケーターを利用して人工まつ毛を付けるとき、まつ毛の各毛側は繋ぎ部に塗られた粘着剤より粘着力が弱い粘着剤が塗られた状態でアプリケーター側に付着され、その状態で繋ぎ部側がまぶた側に密着するようにアプリケーターを目縁に移動させると、粘着力の大きい繋ぎ部側がまぶたに付着される。そして、その状態でアプリケーターを目の前方側に引くと、繋ぎ部側に比べて相対的に粘着剤の粘着力が小さいまつ毛の毛がアプリケーターから分離されて人工まつ毛の着用が完了する。
【００１０】
しかし、前述した従来の人工まつ毛用アプリケーターを利用する場合には、まつ毛の毛側と繋ぎ部側に互いに粘着力が異なる粘着剤を区分して塗らなければならない煩わしさが発生するため、人工まつ毛を使用可能な状態でアプリケーターに固定させるのに困難があった。
【００１１】
また、合成樹脂などで設けられるアプリケーターとまぶたの皮膚のうち、アプリケーターの方が材質的に粘着剤の付着により有利な条件を持つことになるため、従来のアプリケーターを使う場合、まつ毛の毛側に繋ぎ部側より粘着力が弱い粘着剤が塗られるようにしても人工まつ毛をアプリケーターから引き離す過程では人工まつ毛がまぶたから脱落してアプリケーターの方に付着してしまうことが頻繁に発生する問題点があった。
【発明の概要】
【発明が解決しようとする課題】
【００１２】
本発明の実施例は、人工まつ毛を使用可能な状態で固定し易い人工まつ毛用アプリケーターを提供する。
【００１３】
また、人工まつ毛をまぶたに付着させる過程で、人工まつ毛がまぶたから脱落する恐れが少ない人工まつ毛用アプリケーターを提供する。
【００１４】
また、人工まつ毛を利用者のまぶたにワンタッチ方式で付着させ得るように設けられた人工まつ毛用アプリケーターを提供する。
【課題を解決するための手段】
【００１５】
本発明の一側面によれば、複数のまつ毛の毛と、前記まつ毛の各毛の一端部の間を連結する繋ぎ部を含む人工まつ毛をまぶたに付着させるための人工まつ毛用アプリケーターにおいて、前記人工まつ毛の各毛を支持するように設けられた支持板；および前記人工まつ毛の各毛を前記繋ぎ部の長さ方向に沿って前記支持板に押して固定させるように設けられるものの、前記支持板を弾性変形させることによって前記人工まつ毛の各毛に対する固定が解除されるように設けられた固定ピン；を含む人工まつ毛用アプリケーターを提供することができる。
【００１６】
前記固定ピンの一端は、前記支持板の一端の一側に一体連結され、前記固定ピンの他端と前記支持板の一端の他側のうち、いずれか一方には係止部が設けられ、前記固定ピンの他端と前記支持板の一端の他側のうち、残りの他の一方には前記係止部が係止されて拘束されるように係止溝が設けられ、前記係止部と係止溝との間の係止動作は、前記支持板を前記固定ピンが位置した方向に膨らむように弾性変形させた状態で解除されるように設けられることができる。
【００１７】
前記支持板は、少なくとも前記固定ピンが設けられた一端部が、外力が加えられていない状態で前記固定ピン側に膨らんで曲率を有するように設けられ、前記固定ピンの一端と他端との間には、外力が加えられていない状態でまっすぐに平らに形成されて、前記係止部と係止溝との間が係止されて固定された状態で前記支持板に弾力的に密着する圧迫部が設けられることができる。
【００１８】
前記支持板は、前記固定ピンが設けられた一端から他端まで全体的に前記固定ピン側に膨らんで曲率を有するように設けられ、前記支持板は、前記固定ピンが設けられた一端よりも前記固定ピンの反対側他端の幅がさらに小さく設けられることができる。
【００１９】
前記支持板と固定ピンは、可撓性を有するようにポリプロピレン（ＰＰ）を通じて一体に設けられることができる。
【００２０】
前記支持板と固定ピンは、透明または半透明な材質を通じて設けられることができる。
【発明の効果】
【００２１】
本発明の実施例に係る人工まつ毛用アプリケーターは、人工まつ毛を支持板に安定的に支持されるようにした状態で固定ピンを利用して弾力的に押して固定させることができ、このように把持された状態の人工まつ毛は、支持板部が弾性変形されるように曲げる簡単な操作を通じてアプリケーターから手軽に分離することができる。
【００２２】
したがって、本実施例に係る人工まつ毛用アプリケーターを利用すると、人工まつ毛をすぐにまぶたに固定させることができる状態でアプリケーター上に手軽に固定させることができる。
【００２３】
また、本実施例に係る人工まつ毛用アプリケーターは、把持されている人工まつ毛を支持板を曲げる簡単な操作によってワンタッチ方式で分離することができるため、人工まつ毛をまぶたに付着させる過程で人工まつ毛がまぶたから脱落する恐れを効果的に低減させることができる。
【００２４】
また、本実施例に係る人工まつ毛アプリケーターは、支持部の前面が外側前方に膨らんだまぶたの形状に対応するように支持板の内側に窪んで設けられ、支持部が平均的なまぶたの曲率と一致するように上部に膨らんで曲率を有するように設けられることによって、支持部に支持された人工まつ毛が自然に利用者のまぶたの形態に合わせられるため、支持部に支持された人工まつ毛をまぶたに当てると、人工まつ毛はまぶたの形態に一致した状態ですぐにまぶたに正確に付着されることができる。
【００２５】
本発明に係る効果は、以上で言及された効果に制限されず、言及されていない他の効果は特許請求の範囲の記載から当業者に明確に理解できるであろう。
【図面の簡単な説明】
【００２６】
【図１】一般的な人工まつ毛と、本発明の一実施例に係る人工まつ毛用アプリケーターの構造を図示した平面図である。
【図２】本発明の一実施例に係る人工まつ毛用アプリケーターの構造を図示した斜視図であり、固定ピンの係止溝が支持板から分離された状態を示す図である。
【図３】本発明の一実施例に係る人工まつ毛用アプリケーターの構造を図示した断面図であり、固定ピンの係止溝が支持板に係止されて固定された状態を示す図である。
【図４】図３の状態から固定ピンの係止溝が支持板から分離された状態を示す図である。
【図５】本発明の一実施例に係る人工まつ毛用アプリケーターの構造を図示した平面図であり、支持板と固定ピンとの間に人工まつ毛が把持されている状態を示す図である。
【図６】図５の状態の断面図である。
【図７】図５の状態の人工まつ毛用アプリケーターを使用者の目縁に移動させて人工まつ毛の繋ぎ部がまぶたに付着するようにした状態を図示した平面図である。
【図８】図７の状態から固定ピンの係止溝が支持板から分離するようにした状態を図示した断面図である。
【発明を実施するための形態】
【００２７】
以下では、本発明の実施例を図面を参照して詳細に説明する。以下の実施例は、本発明が属する技術分野において通常の知識を有する者に本発明の思想を十分に伝達するために提示するものである。本発明は、ここで提示した実施例のみに限定されず、他の形態で具体化することもできる。図面は、本発明を明確にするために説明と関係ない部分の図示を省略し、理解を助けるために構成要素の大きさを多少誇張して表現することもある。
【００２８】
本発明の一実施例に係る人工まつ毛用アプリケーター１０は、人工まつ毛１をまぶたにすぐに付着できる状態で保管したり、人工まつ毛１をまぶたに付着しようとするときに用いられるように設けられたものであり、ここで人工まつ毛１は、通常のもののように複数のまつ毛の毛ｌａと、まつ毛の各毛ｌａの一端部の間を連結して繋がるようにする繋ぎ部ｌｂを含むことができる。人工まつ毛の各毛ｌａは、人工毛を通じて設けられることができる。図１は一般的な人工まつ毛１の構造を図示する。
【００２９】
図１ないし図６に図示されたように、人工まつ毛用アプリケーター１０は、人工まつ毛１の各毛ｌａを支持するように設けられた支持板２０と、まつ毛の各毛ｌａを繋ぎ部ｌｂの長さ方向に沿って支持板２０に押して固定させるように設けられた固定ピン３０を備える。
【００３０】
支持板２０は、一端の上面に人工まつ毛１の各毛ｌａが乗せられて支持されるように設けられたほぼ四角状の薄い板形態で設けられることができる。
【００３１】
まつ毛の各毛ｌａが上面に支持される支持板２０の前方側一端部は、支持部２１を形成することができる。
【００３２】
支持部２１の前面は、外側に膨らんだまぶたの形状に対応するように支持板２０の内側に窪んで設けられることができる。
【００３３】
まつ毛の各毛ｌａが支持部２１の上面に支持された状態の人工まつ毛１は、繋ぎ部ｌｂが支持板２０の前方に位置した状態となる。
【００３４】
固定ピン３０は、一端が支持板２０の支持部２１の一側に一体連結され、固定ピン３０の他端は支持板２０の支持部２１の他側に係止方式で着脱自在に固定されるように設けられることができる。このため、固定ピン３０の他端には係止溝３１ａが設けられ、係止溝３１ａに対応する支持板２０の支持部２１の他側には、係止溝３１ａに係止されて固定されるように係止部２２が設けられることができる。
【００３５】
また、固定ピン３０の一端と他端との間には係止溝３１ａが係止部２２に係止されて固定された状態で支持板２０に密着して、複数のまつ毛の毛ｌａを支持板２０の支持部２１の上面に密着された状態で押して固定させるための圧迫部３２が設けられることができる。
【００３６】
したがって、支持板２０の支持部２１の上に支持された人工まつ毛１は、まつ毛の各毛ｌａが固定ピン３０の圧迫部３２と支持部２１の上面との間で弾力的に圧迫された状態で人工まつ毛用アプリケーター１０を通じて安全に固定されることができる。
【００３７】
支持板２０と固定ピン３０との間に人工まつ毛１の各毛ｌａが把持されるようにするとき、利用者がまつ毛の各毛ｌａが適切な長さで把持されたかを直接目で容易に確認できるように支持板２０と固定ピン３０は、透明または半透明な材質で設けられることが好ましい。
【００３８】
さらに、係止部２２と係止溝３１ａとの間の係止構造は、支持板２０の弾性変形動作時に即刻に解除されるように設けられ、これによって、支持板２０と固定ピン３０との間を通して把持されている状態の人工まつ毛１は、利用者が支持板２０を弾性変形させることによって人工まつ毛用アプリケーター１０から簡単に分離することができる。
【００３９】
支持板２０の弾性変形動作が円滑に行われるようにすることはもちろん、固定ピン３０の圧迫部３２が支持板２０に弾力的に密着し易いように人工まつ毛用アプリケーター１０を構成する支持板２０と固定ピン３０は可撓性を有するようにポリプロピレン（ＰＰ）を通じて一体に成形されることができる。
【００４０】
固定ピン３０が支持板２０一端の支持部２１の上部側に位置することを勘案すると、人工まつ毛用アプリケーター１０は、係止部２２と係止溝３１ａとの間の係止動作が支持板２０を固定ピン３０が位置した上部側に膨らむように弾性変形させた状態で解除されるように設けられることが好ましい。
【００４１】
係止部２２と係止溝３１ａとの間の係止動作を解除させる支持板２０の弾性変形動作が容易に行われるように支持板２０は、少なくとも固定ピン３０の位置に対応する一端の支持部２１側が外力が加えられていない状態でもすでに固定ピン３０が位置した上部側に膨らんだ状態を維持するように曲率を有して設けられることが好ましい。
【００４２】
本実施例の場合、支持板２０は両側方の間の一端から他端までが全体的に外力が加えられていない状態で固定ピン３０が位置した上部側に膨らんだ状態を維持するように曲率を有して設けられる。したがって、このような構造の人工まつ毛用アプリケーター１０は、人工まつ毛１が固定された状態で利用者が固定ピン３０の反対側の支持板２０の端部を上部にさらに膨らむように曲げる簡単な動作を通じて人工まつ毛１が簡単に分離できるようになる。
【００４３】
支持部２１の曲率は、平均的なまぶたの曲率と一致するように設けられることができる。支持部２１の前面が外側前方に膨らんだまぶたの形状に対応するように支持板２０の内側に窪んで設けられ、支持部２１が平均的なまぶたの曲率と一致するように上部に膨らんで曲率を有するように設けられた支持板２０の構造では、支持部２１に支持された人工まつ毛１が自然に利用者のまぶたの形態に合わせられるため、支持部２１に支持された人工まつ毛１をまぶたに当てると、人工まつ毛１はまぶたの形態に一致した状態ですぐにまぶたに正確に付着されることができる。
【００４４】
人工まつ毛用アプリケーター１０に把持された人工まつ毛１を分離させる過程において、利用者は固定ピン３０の分離動作に干渉されないように固定ピン３０の反対側の支持板２０の端部両側を摘んで内側に曲げることが便利であり、このような支持部２１の反対側の支持板２０の端部は操作部２３を形成することができるが、このとき、利用者が操作部２３の両側を摘んで内側に曲げ易いように支持板２０は人工まつ毛１の長さ程度を持つ支持部２１側の幅より手で摘むことになる操作部２３側の幅をより小さく形成することができる。
【００４５】
また、固定ピン３０において、係止溝３１ａが設けられた圧迫部３２の一側は固定部３１を形成し、圧迫部３２の他側は支持板２０に一体に連結された連結部３３を形成することになる。係止溝３１ａは、支持部２１の一側を覆うように延びた固定部３１の内面に設けられることができる。
【００４６】
圧迫部３２は、係止部２２が係止溝３１ａに係止されて固定された状態で支持板２０の支持部２１に弾力的に密着できるように外力が加えられていない状態ではほぼまっすぐな平たい状態を維持するように設けられ、圧迫部３２の両側の固定部３１と連結部３３は、圧迫部３２が支持部２１に密着した状態で支持部２１の上部に離隔できるように設けられることができる。
【００４７】
また、連結部３３は、係止部２２に対する係止溝３１ａの係止が解除された状態で図２および図４に図示のように、固定ピン３０が全体的に連結部３３の反対側に向かって上向き傾斜した状態を維持させることによって、係止部２２と係止溝３１ａとの間の係止動作が解除された状態で支持板２０と固定ピン３０との間がより速かに広がって離隔できるようにすることができ、これによって、把持された状態の人工まつ毛１は、人工まつ毛用アプリケーター１０からさらに迅速に分離することができる。
【００４８】
前述した人工まつ毛用アプリケーター１０の構造において、係止溝３１ａと係止部２２の位置は、逆にされてもよく、固定ピン３０と支持板２０との間の係止構造は、支持板２０の弾性変形動作によって固定ピン３０と支持板２０との間の係止が解除されるように設けられる範囲内で雄雌構造を備えるボタンやフックのような他の多様な係止構造で代替可能である。
【００４９】
次は、このように構成された人工まつ毛用アプリケーター１０を利用した人工まつ毛１の付着過程を説明する。
【００５０】
人工まつ毛用アプリケーター１０は、図５と図６に図示のように、平常時の支持板２０と固定ピン３０との間に人工まつ毛１が把持されるようにした状態で携帯が可能な保管ケース（図示せず）等に収容され得る。
【００５１】
この状態で人工まつ毛１の繋ぎ部ｌｂには、まぶたに粘着するための粘着剤が塗られ得、粘着剤は、人工まつ毛１が人工まつ毛用アプリケーター１０に固定される前の状態の繋ぎ部ｌｂに塗られることもある。
【００５２】
また、この状態の人工まつ毛用アプリケーター１０は、保管ケース（図示せず）の大きさによって、１つまたは複数個が保管ケースの内部に一緒に収容されることもある。
【００５３】
また、人工まつ毛１を利用しようとする場合、利用者は操作部２３を摘んだ状態で保管ケース（図示せず）から人工まつ毛用アプリケーター１０を取り出して自分の目の回りに持っていく。このとき、利用者は親指と人差し指ｆｌ、ｆ２を使って操作部２３が曲がらないように操作部２３の両側を力を抜いた状態で摘んだ方が良い。
【００５４】
引き続き、利用者は図７に図示のように、人工まつ毛用アプリケーター１０を目縁に持っていき、人工まつ毛１の繋ぎ部ｌｂを自分の目頭側のまぶた２に密着させ、これによって、繋ぎ部ｌｂに塗られた粘着剤の粘着力により、繋ぎ部ｌｂはまぶた２に付着される。
【００５５】
その状態で利用者は図８に図示のように、支持板２０が上向きにより一層膨らむように親指と人差し指ｆｌ、ｆ２に力を加えて操作部２３の両側を内側に曲げ、これによって、支持部２１が膨らむように弾性変形されながら、係止溝３１ａと係止部２２に対する係止が解除されて人工まつ毛１は支持板２０と固定ピン３０との間から分離できる状態となる。したがって、この状態で人工まつ毛用アプリケーター１０を顔前方に移動させると、人工まつ毛用アプリケーター１０が人工まつ毛１から除去され、人工まつ毛１は利用者のまぶた２に付着された状態を安全に維持できることになる。
【００５６】
また、この状態で人工まつ毛１の使用が中止されると、利用者はまたまぶた２から人工まつ毛を引き離し、まぶた２から分離した人工まつ毛１を再びすぐに使用可能な状態となるように支持板２０と固定ピン３０との間に弾力的に把持させ、この状態の人工まつ毛用アプリケーター１０は再び保管ケースに入れられて保管される。
【００５７】
このように本実施例に係る人工まつ毛用アプリケーター１０は、人工まつ毛１を支持板２０に安定的に支持されるようにした状態で固定ピン３０を利用して弾力的に押して固定させることができ、この状態の人工まつ毛１は、支持板２０が弾性変形されるように曲げる簡単な操作を通じて人工まつ毛用アプリケーター１０から手軽に分離することができる。
【００５８】
したがって、本実施例に係る人工まつ毛用アプリケーター１０を利用すれば、別途の粘着剤を使わなくても人工まつ毛１をすぐにまぶた２に固定させることができる状態で簡単に保管することができる。
【００５９】
また、本実施例に係る人工まつ毛用アプリケーター１０は、把持されている人工まつ毛１を支持板２０を曲げる簡単な操作によってワンタッチ方式で分離することができるため、まぶた２に付着させる過程で人工まつ毛１がまぶた２から脱落する恐れを効果的に低減させることができる。
【００６０】
以上では、特定の実施例について図示して説明した。しかし、本発明は上記した実施例のみに限定されず、発明が属する技術分野において通常の知識を有する者であれば、添付の特許請求の範囲に記載された発明の技術的思想の要旨を逸脱することなく、いくらでも多様に変更実施することができるであろう。
【図１】
2017521212.tif 000003
【図２】
2017521212.tif 000004
【図３】
2017521212.tif 000005
【図４】
2017521212.tif 000006
【図５】
2017521212.tif 000007
【図６】
2017521212.tif 000008
【図７】
2017521212.tif 000009
【図８】
2017521212.tif 000010
【国際調査報告】
2017521212.tif 000011
2017521212.tif 000012
2017521212.tif 000013
2017521212.tif 000014